(57)【要約】【課題】検査項目の選択作業の手間を軽減する。【解決手段】分子検査支援装置は、人体の複数の臓器名をそれぞれ選択肢として操作者に提示する選択肢提示部と、選択肢提示部によって臓器名が選択肢として提示されることに応じて操作者が行う診断対象の検査標本の臓器名を選択する臓器名選択操作を受け付ける選択操作受付部と、選択操作受付部が受け付けた臓器名選択操作が示す臓器名に基づいて、検査標本の免疫組織化学染色による診断又は遺伝子解析による診断を含む分子検査の検査項目として予め記憶されている複数の検査項目の中から、診断対象の検査標本に対して実施が推奨される推奨検査項目を抽出する検査項目抽出部と、検査項目抽出部が抽出する推奨検査項目を提示する検査項目提示部とを備える。【選択図】図２
2019148467.tif 000002
【特許請求の範囲】
【請求項１】
人体の複数の臓器名をそれぞれ選択肢として操作者に提示する選択肢提示部と、
前記選択肢提示部によって臓器名が選択肢として提示されることに応じて操作者が行う診断対象の検査標本の臓器名を選択する臓器名選択操作を受け付ける選択操作受付部と、
前記選択操作受付部が受け付けた前記臓器名選択操作が示す臓器名に基づいて、検査標本の免疫組織化学染色による診断又は遺伝子解析による診断を含む分子検査の検査項目として予め記憶されている複数の検査項目の中から、前記診断対象の検査標本に対して実施が推奨される推奨検査項目を抽出する検査項目抽出部と、
前記検査項目抽出部が抽出する前記推奨検査項目を提示する検査項目提示部と、
を備える分子検査支援装置。
【請求項２】
前記選択肢提示部は、検査標本の外観所見の複数の分類名をそれぞれ選択肢として操作者に更に提示し、
前記選択操作受付部は、操作者が行う前記分類名を選択する分類名選択操作を更に受け付け、
前記検査項目抽出部は、前記選択操作受付部が受け付けた前記臓器名選択操作が示す臓器名及び前記分類名選択操作が示す前記分類名に基づいて、前記推奨検査項目を抽出する
請求項１に記載の分子検査支援装置。
【請求項３】
前記検査項目提示部は、前記検査項目抽出部が抽出する前記推奨検査項目が複数ある場合に、複数の前記推奨検査項目を一覧表示する
請求項１又は請求項２に記載の分子検査支援装置。
【請求項４】
前記選択操作受付部は、前記検査項目提示部が提示する前記推奨検査項目のうちから検査発注対象の検査項目を選択する発注対象選択操作を更に受け付け、
前記選択操作受付部が受け付けた検査発注対象の検査項目についての検査発注情報を生成する発注情報生成部
を更に備える請求項１から請求項３のいずれか一項に記載の分子検査支援装置。
【請求項５】
前記選択肢提示部は、前記検査項目提示部が提示する検査項目について、当該検査項目の検査結果が陰性であるか陽性であるかの選択肢を検査項目ごとに提示し、
前記選択操作受付部は、前記検査項目提示部が提示する診断結果の選択肢を選択する診断結果選択操作を更に受け付け、
前記検査項目提示部が提示する検査項目と、前記選択操作受付部が受け付けた前記診断結果選択操作とに基づいて診断結果情報を生成する診断結果情報生成部
を更に備える請求項１から請求項４のいずれか一項に記載の分子検査支援装置。
【請求項６】
前記分子検査の検査結果の判定ガイドラインを提示する判定ガイドライン提示部
を更に備える請求項１から請求項５のいずれか一項に記載の分子検査支援装置。
【請求項７】
端末装置が備えるコンピュータに、
人体の複数の臓器名をそれぞれ選択肢として操作者に提示する選択肢提示ステップと、
前記選択肢提示ステップにおいて臓器名が選択肢として提示されることに応じて操作者が行う診断対象の検査標本の臓器名を選択する臓器名選択操作を受け付ける選択操作受付ステップと、
前記選択操作受付ステップにおいて受け付けられた前記臓器名選択操作が示す臓器名に基づいて、検査標本の免疫組織化学染色による診断又は遺伝子解析による診断を含む分子検査の検査項目として予め記憶されている複数の検査項目の中から、前記診断対象の検査標本に対して実施が推奨される推奨検査項目を抽出する検査項目抽出ステップと、
前記検査項目抽出ステップにおいて抽出される前記推奨検査項目を提示する検査項目提示ステップと、
を実行させるためのプログラム。
【発明の詳細な説明】
【技術分野】
【０００１】
本発明は、分子検査支援装置及びプログラムに関する。
【背景技術】
【０００２】
病理学は、形態学を基盤とした臨床医学と基礎医学をつなぐ学問分野である。近年においては、典型的な症例の蓄積結果を病理診断やその教育に用いるための形態学的情報整備と組織化は、成熟化しつつある。この病理学に基づいて、患者から手術や生検によって採取された病変組織や細胞を顕微鏡で観察して診断する病理診断がある。
従来、この病理診断を支援する技術として、例えば、特許文献１には、検査対象画像がある場合に、検査対象となる臓器の選択を操作者（例えば、病理医）に行わせ、検査対象画像に対して、臓器に特化した検出アルゴリズムを適用して画像処理する技術が開示されている。
【先行技術文献】
【特許文献】
【０００３】
【特許文献１】特開２０１２−７３１７９号公報
【発明の概要】
【発明が解決しようとする課題】
【０００４】
ところで、病理診断には、分子病理診断と呼ばれる分野がある。分子病理診断においては、例えば、がん患者から手術や生検によって採取された病変組織や細胞を顕微鏡で観察して診断し、患者のがん細胞の蛋白質や遺伝子異常を調べる。この結果、その患者に効くことが期待される薬剤、治療法を選択できる。
このような分子病理診断には、検査項目が多数存在する。このため、それら多数の検査項目の中から診断に適した検査項目を選択するための診療ガイドラインや手引き、指針などが提示されている。例えば、腫瘍に関する診療ガイドラインや手引き、指針などには、臓器の種類別、腫瘍の種類別、治療方針の種類別などを含めると５００以上の種類がある。また、それぞれの各診療ガイドラインや手引き、指針などに複数の検査項目が列挙されている状況である。病理医は、さまざまな臓器の病変組織や細胞についてそれぞれに適した検査項目を把握しなければならない。適切な検査項目を選択するため、診療ガイドラインの参照に多くの時間を要したり、検査項目の不足や不適切な選択により追加検査を強いられたりする、といった状況がある。このような状況の解消のため、病理医による検査項目の選択作業の手間を軽減する技術が望まれる。
【０００５】
しかしながら、上述のような従来技術の場合、すでに検査項目が選択され検査対象画像を入手できている場合に診断の支援をするものであり、検査項目の選択作業までをも支援するものではない。すなわち、上述のような従来技術では、検査項目の選択作業の手間を軽減することができないという問題があった。
【０００６】
本発明は、上記問題を解決すべくなされたもので、その目的は、検査項目の選択作業の手間を軽減することができる分子検査支援装置及びプログラムを提供することにある。
【課題を解決するための手段】
【０００７】
本発明の一実施形態は、人体の複数の臓器名をそれぞれ選択肢として操作者に提示する選択肢提示部と、前記選択肢提示部によって臓器名が選択肢として提示されることに応じて操作者が行う診断対象の検査標本の臓器名を選択する臓器名選択操作を受け付ける選択操作受付部と、前記選択操作受付部が受け付けた前記臓器名選択操作が示す臓器名に基づいて、検査標本の免疫組織化学染色による診断又は遺伝子解析による診断を含む分子検査の検査項目として予め記憶されている複数の検査項目の中から、前記診断対象の検査標本に対して実施が推奨される推奨検査項目を抽出する検査項目抽出部と、前記検査項目抽出部が抽出する前記推奨検査項目を提示する検査項目提示部と、を備える分子検査支援装置である。
【０００８】
また、本発明の一実施形態は、上述の分子検査支援装置において、前記選択肢提示部は、検査標本の外観所見の複数の分類名をそれぞれ選択肢として操作者に更に提示し、前記選択操作受付部は、操作者が行う前記分類名を選択する分類名選択操作を更に受け付け、前記検査項目抽出部は、前記選択操作受付部が受け付けた前記臓器名選択操作が示す臓器名及び前記分類名選択操作が示す前記分類名に基づいて、前記推奨検査項目を抽出する。
【０００９】
また、本発明の一実施形態は、上述の分子検査支援装置において、前記検査項目提示部は、前記検査項目抽出部が抽出する前記推奨検査項目が複数ある場合に、複数の前記推奨検査項目を一覧表示する。
【００１０】
また、本発明の一実施形態は、上述の分子検査支援装置において、前記選択操作受付部は、前記検査項目提示部が提示する前記推奨検査項目のうちから検査発注対象の検査項目を選択する発注対象選択操作を更に受け付け、前記選択操作受付部が受け付けた検査発注対象の検査項目についての検査発注情報を生成する発注情報生成部を更に備える。
【００１１】
また、本発明の一実施形態は、上述の分子検査支援装置において、前記選択肢提示部は、前記検査項目提示部が提示する検査項目について、当該検査項目の検査結果が陰性であるか陽性であるかの選択肢を検査項目ごとに提示し、前記選択操作受付部は、前記検査項目提示部が提示する診断結果の選択肢を選択する診断結果選択操作を更に受け付け、前記検査項目提示部が提示する検査項目と、前記選択操作受付部が受け付けた前記診断結果選択操作とに基づいて診断結果情報を生成する診断結果情報生成部を更に備える。
【００１２】
また、本発明の一実施形態は、上述の分子検査支援装置において、前記分子検査の検査結果の判定ガイドラインを提示する判定ガイドライン提示部を更に備える。
【００１３】
また、本発明の一実施形態は、端末装置が備えるコンピュータに、人体の複数の臓器名をそれぞれ選択肢として操作者に提示する選択肢提示ステップと、前記選択肢提示ステップにおいて臓器名が選択肢として提示されることに応じて操作者が行う診断対象の検査標本の臓器名を選択する臓器名選択操作を受け付ける選択操作受付ステップと、前記選択操作受付ステップにおいて受け付けられた前記臓器名選択操作が示す臓器名に基づいて、検査標本の免疫組織化学染色による診断又は遺伝子解析による診断を含む分子検査の検査項目として予め記憶されている複数の検査項目の中から、前記診断対象の検査標本に対して実施が推奨される推奨検査項目を抽出する検査項目抽出ステップと、前記検査項目抽出ステップにおいて抽出される前記推奨検査項目を提示する検査項目提示ステップと、を実行させるためのプログラムである。
【発明の効果】
【００１４】
この発明によれば、検査項目の選択作業の手間を軽減することができる分子検査支援装置及びプログラムを提供することができる。
【図面の簡単な説明】
【００１５】
【図１】本実施形態の分子検査支援装置の外観構成の一例を示す図である。
【図２】本実施形態の分子検査支援装置の機能構成の一例を示す図である。
【図３】本実施形態の分子検査支援装置の動作の一例を示す図である。
【図４】本実施形態の選択肢提示部が提示する選択肢の一例を示す図である。
【発明を実施するための形態】
【００１６】
［実施形態］
以下、図面を参照して、本発明の実施形態を説明する。
図１は、本実施形態の分子検査支援装置１０の外観構成の一例を示す図である。分子検査支援装置１０は、例えば、スマートホンやタブレットなどの携帯端末、デスクトップ型やノート型のパーソナルコンピュータなど、コンピュータを備える装置である。本実施形態では、分子検査支援装置１０がスマートホンなどの端末装置である場合を一例にして説明する。
【００１７】
［分子検査支援装置の機能構成］
図２は、本実施形態の分子検査支援装置１０の機能構成の一例を示す図である。分子検査支援装置１０は、制御部１００と、記憶部２００と、操作検出部ＴＰと、表示部ＤＳＰと、通信部ＴＣとを備える。
操作検出部ＴＰは、例えば、タッチパネルなどを備えており、操作者Ｕの操作を検出する。なお、この一例において操作者Ｕとは、病理医である。
表示部ＤＳＰは、例えば、液晶ディスプレイを備えており、制御部１００の制御に基づいて画像を表示する。
通信部ＴＣは、有線又は無線により外部装置との通信を行う。
【００１８】
記憶部２００は、制御部１００の演算に用いられる情報を記憶する。この記憶部２００には、判定ガイドラインＧＬの情報があらかじめ記憶されている。ここで、判定ガイドラインＧＬとは、分子検査の検査項目の選択基準及び当該検査項目の検査結果に対する診断基準である。この判定ガイドラインＧＬの情報は、例えば、医学系の各学会がそれぞれ発行する診療ガイドラインに掲載されている情報に基づいて作成され、記憶部２００に記憶される。
制御部１００は、例えば、ＣＰＵ（Central Processing Unit）を備えており、種々の演算を行う。制御部１００は、選択肢提示部１１０と、選択操作受付部１２０と、検査項目抽出部１３０と、検査項目提示部１４０と、発注情報生成部１５０と、診断結果情報生成部１６０と、判定ガイドライン提示部１７０とをソフトウエア機能部として備える。
【００１９】
選択肢提示部１１０は、人体の複数の臓器名ＯＮをそれぞれ選択肢ＣＨとして操作者Ｕに提示する。
選択操作受付部１２０は、操作者Ｕが操作検出部ＴＰに対して行う選択操作ＳＯを検出する。この操作者Ｕが操作検出部ＴＰに対して行う選択操作ＳＯには、臓器名選択操作ＳＯ−ＯＮと、分類名選択操作ＳＯ−ＣＮと、発注対象選択操作ＳＯ−ＯＴと、診断結果選択操作ＳＯ−Ｄとがある。
なお、選択操作受付部１２０は、操作検出部ＴＰに対するさまざまな操作のうち、選択操作ＳＯのみを受け付ける。例えば、選択操作受付部１２０は、文字入力操作は受け付けない。
【００２０】
検査項目抽出部１３０は、選択操作受付部１２０が臓器名選択操作ＳＯ−ＯＮを受け付けた場合、操作者Ｕが選択した臓器名ＯＮに基づいて、推奨検査項目ＲＤＩを抽出する。
検査項目提示部１４０は、検査項目抽出部１３０が抽出する推奨検査項目ＲＤＩを提示する。この一例では、「提示」とは、表示部ＤＳＰに対する表示である。この一例の場合、検査項目提示部１４０は、推奨検査項目ＲＤＩを表示部ＤＳＰに表示する。
【００２１】
発注情報生成部１５０は、選択操作受付部１２０が発注対象選択操作ＳＯ−ＯＴを受け付けた場合、操作者Ｕが選択した検査発注対象の検査項目ＯＤＩについての検査発注情報ＴＯを生成する。発注情報生成部１５０は、生成した検査発注情報ＴＯを、通信部ＴＣを介して外部装置（例えば、検査発注システム；不図示）に出力する。
診断結果情報生成部１６０は、選択操作受付部１２０が診断結果選択操作ＳＯ−Ｄを受け付けた場合、検査項目提示部１４０が提示する検査項目ＤＩと、選択操作受付部１２０が受け付けた診断結果選択操作ＳＯ−Ｄとに基づいて診断結果情報ＤＲを生成する。診断結果情報生成部１６０は、生成した診断結果情報ＤＲを、通信部ＴＣを介して外部装置（例えば、診断書作成システム；不図示）に出力する。
判定ガイドライン提示部１７０は、分子検査の検査結果ＩＲの判定ガイドラインＧＬを提示する。
次に、図３を参照して、分子検査支援装置１０の動作の一例について説明する。
【００２２】
［分子検査支援装置の動作］
図３は、本実施形態の分子検査支援装置１０の動作の一例を示す図である。
（ステップＳ１０）選択肢提示部１１０は、臓器名ＯＮと、分類名ＣＮとを表示部ＤＳＰに表示することにより、選択肢ＣＨを操作者Ｕに提示する。ここで、図４を参照して選択肢提示部１１０が提示する選択肢ＣＨの一例について説明する。
【００２３】
図４は、本実施形態の選択肢提示部１１０が提示する選択肢ＣＨの一例を示す図である。この一例において、臓器名ＯＮには、頭頸部、肺、食道、腸管、肝臓、胆道、膵臓、腎臓、下部尿路、男性生殖器、女性生殖器、乳腺、内分泌系、皮膚、骨・関節、軟部、筋、末梢神経、中枢神経、眼、口腔、血管、心臓、及び血液が含まれる。
すなわち、選択肢提示部１１０は、人体の複数の臓器名ＯＮをそれぞれ選択肢ＣＨとして操作者Ｕに提示する。
【００２４】
また、この一例において、分類名ＣＮには、腫瘍分類１（同図においてはローマ数字による１）として良性、悪性−上皮性、悪性−非上皮性、及び悪性−血液系が、腫瘍分類２（同図においてはローマ数字による２）として原発性、転移性、再発、及び異所性がそれぞれ含まれる。この分類名ＣＮとは、検査標本ＳＰの外観所見（例えば、顕微鏡や画像による所見）の名称である。
すなわち、選択肢提示部１１０は、選択肢提示部１１０は、検査標本ＳＰの外観所見の複数の分類名ＣＮをそれぞれ選択肢ＣＨとして操作者Ｕに更に提示する。
【００２５】
操作者Ｕは、表示部ＤＳＰに表示される複数の臓器名ＯＮの中から、診断対象の検査標本ＴＳＰの臓器名ＯＮを選択する。すなわち、操作者Ｕは、選択肢提示部１１０によって臓器名ＯＮが選択肢ＣＨとして提示されることに応じて診断対象の検査標本ＴＳＰの臓器名ＯＮを選択する。この診断対象の検査標本ＴＳＰの臓器名ＯＮを選択する選択操作ＳＯを臓器名選択操作ＳＯ−ＯＮと称する。
また、操作者Ｕは、表示部ＤＳＰに表示される複数の分類名ＣＮの中から、診断対象の検査標本ＴＳＰの外観所見に一致する分類名ＣＮを選択する。この分類名ＣＮを選択する選択操作ＳＯを分類名選択操作ＳＯ−ＣＮと称する。
【００２６】
（ステップＳ２０）図３に戻り、選択操作受付部１２０は、操作者Ｕが行う診断対象の検査標本ＴＳＰの臓器名ＯＮを選択する臓器名選択操作ＳＯ−ＯＮを受け付ける。また、選択操作受付部１２０は、操作者Ｕが行う分類名ＣＮを選択する分類名選択操作ＳＯ−ＣＮを更に受け付ける。
なお、選択操作受付部１２０は、臓器名選択操作ＳＯ−ＯＮを受け付けた後に、分類名選択操作ＳＯ−ＣＮを受け付けることとしてもよい。
【００２７】
（ステップＳ３０）検査項目抽出部１３０は、ステップＳ２０において受け付けられた選択操作ＳＯが示す内容に基づいて、推奨検査項目ＲＤＩを抽出する。ここで、検査項目ＤＩとは、検査標本ＳＰを分子検査する際に、検査標本ＳＰに対して行われる検査の種類である。この分子検査には、免疫組織化学染色による診断又は遺伝子解析による診断が含まれる。また、推奨検査項目ＲＤＩとは、複数の種類の検査項目ＤＩのうち、判定ガイドラインＧＬによって、診断対象の検査標本ＴＳＰに対して実施が推奨される検査項目ＤＩである。上述したように、判定ガイドラインＧＬは、記憶部２００に記憶されている。この判定ガイドラインＧＬには、推奨検査項目ＲＤＩが、臓器名ＯＮ及び分類名ＣＮに対応付けられた情報が含まれている。つまり、臓器名ＯＮや分類名ＣＮを検索キーにして判定ガイドラインＧＬを検索すると、臓器名ＯＮや分類名ＣＮに対応付けられた推奨検査項目ＲＤＩが抽出される。検査項目抽出部１３０は、臓器名選択操作ＳＯ−ＯＮによって示された臓器名ＯＮ、及び分類名選択操作ＳＯ−ＣＮによって示された分類名ＣＮを検索キーにして、記憶部２００に記憶されている判定ガイドラインＧＬを検索する。検査項目抽出部１３０は、検索の結果得られる検査項目ＤＩを推奨検査項目ＲＤＩとして抽出する。
【００２８】
すなわち、検査項目抽出部１３０は、選択操作受付部１２０が受け付けた臓器名選択操作ＳＯ−ＯＮが示す臓器名ＯＮに基づいて、検査標本ＳＰの免疫組織化学染色による診断又は遺伝子解析による診断を含む分子検査の検査項目ＤＩとして予め記憶されている複数の検査項目ＤＩの中から、診断対象の検査標本ＴＳＰに対して実施が推奨される推奨検査項目ＲＤＩを抽出する。
また、検査項目抽出部１３０は、検査項目抽出部１３０は、選択操作受付部１２０が受け付けた分類名選択操作ＳＯ−ＣＮが示す分類名ＣＮに基づいて、推奨検査項目ＲＤＩを抽出する。
なお、検査項目抽出部１３０は、分類名ＣＮを検索キーにせず、臓器名ＯＮのみを検索キーにして推奨検査項目ＲＤＩを抽出してもよい。
【００２９】
（ステップＳ４０）検査項目提示部１４０は、検査項目抽出部１３０が抽出する推奨検査項目ＲＤＩを提示する（図４）。ここで、ある臓器の検査標本ＳＰに対応する推奨検査項目ＲＤＩは、一般的に複数ある。図４の一例では、推奨検査項目ＲＤＩのうち、免疫組織化学染色による推奨検査項目ＲＤＩが７項目、遺伝子解析による推奨検査項目ＲＤＩが３項目ある。
検査項目提示部１４０は、検査項目抽出部１３０が抽出する推奨検査項目ＲＤＩが複数ある場合に、複数の推奨検査項目ＲＤＩを一覧表示する。
操作者Ｕは、これらの推奨検査項目ＲＤＩのうち、実際に検査を行う検査項目ＤＩ、つまり、検査発注対象の検査項目ＯＤＩを選択する。この操作者Ｕによる検査発注対象の検査項目ＯＤＩの選択操作を発注対象選択操作ＳＯ−ＯＴと称する。
【００３０】
（ステップＳ５０）選択操作受付部１２０は、操作者Ｕによる発注対象選択操作ＳＯ−ＯＴを受け付ける。すなわち、選択操作受付部１２０は、検査項目提示部１４０が提示する推奨検査項目ＲＤＩのうちから検査発注対象の検査項目ＯＤＩを選択する発注対象選択操作ＳＯ−ＯＴを更に受け付ける。
【００３１】
（ステップＳ６０）発注情報生成部１５０は、選択操作受付部１２０が受け付けた検査発注対象の検査項目ＯＤＩについての検査発注情報ＴＯを生成する。発注情報生成部１５０は、生成した検査発注情報ＴＯを、通信部ＴＣを介して検査発注システム（不図示）に出力する。
（ステップＳ１１０）検査発注システムは、分子検査支援装置１０から検査発注情報ＴＯを受け取ると、分子検査を実施する組織（例えば、病院内の分子検査部門や、分子検査サービスの提供企業）に対して、発注があった旨と、分子検査の検査項目ＤＩとを通知する。また、操作者Ｕ（例えば、病理医）から診断対象の検査標本ＴＳＰが分子検査を実施する組織に対して提出される。分子検査を実施する組織において検査標本ＴＳＰに対する分子検査が実施され、分子検査の検査結果ＩＲが得られると、この検査結果ＩＲは、分子検査支援装置１０に通知される。ここで、検査結果ＩＲには医師の診断結果が含まれていない。
【００３２】
（ステップＳ７０）選択肢提示部１１０は、検査結果ＩＲについて、医師が陰性であると判断すべきか、陽性であると判断すべきかの選択肢ＣＨを検査項目ＤＩごとに提示する。換言すれば、選択肢提示部１１０は、検査項目提示部１４０が提示する検査項目ＤＩについて、当該検査項目ＤＩの検査結果ＩＲが陰性であるか陽性であるかの選択肢ＣＨを検査項目ＤＩごとに提示する。一例として、選択肢提示部１１０は、検査結果ＩＲに含まれる検査項目ＤＩごとに「陰性」の操作アイコン及び「陽性」の操作アイコンを表示する。
検査結果ＩＲが陰性であるか陽性であるかの判断とは、医師による診断結果である。つまり、選択肢提示部１１０は、診断結果が含まれていない検査結果ＩＲに対して、操作者Ｕである医師（例えば、病理医）に対して診断結果の付与を促す。この医師による診断結果の選択肢ＣＨの選択操作ＳＯを、診断結果選択操作ＳＯ−Ｄと称する。すなわち、選択操作受付部１２０は、検査項目提示部１４０が提示する診断結果の選択肢ＣＨを選択する診断結果選択操作ＳＯ−Ｄを受け付ける。
【００３３】
（ステップＳ８０）診断結果情報生成部１６０は、検査項目提示部１４０が提示する検査項目ＤＩと、選択操作受付部１２０が受け付けた診断結果選択操作ＳＯ−Ｄとに基づいて診断結果情報ＤＲを生成する。診断結果情報生成部１６０は、生成した診断結果情報ＤＲを診断書作成システム（不図示）に出力する。
（ステップＳ２１０）診断書作成システムは、分子検査支援装置１０から診断結果情報ＤＲを受け取ると、診断書データを生成して、一連の動作を終了する。
【００３４】
［実施形態のまとめ］
以上説明したように、本実施形態の分子検査支援装置１０は、操作者Ｕによる臓器名選択操作ＳＯ−ＯＮによって選択された臓器名ＯＮに基づいて、分子検査の複数の検査項目ＤＩの中から、診断対象の検査標本ＴＳＰに適した推奨検査項目ＲＤＩを抽出する。
このため、分子検査支援装置１０によれば、分子検査の検査項目ＤＩの選択作業を手作業で行う場合に比べて、検査項目ＤＩの選択作業の手間を軽減することができる。
【００３５】
また、分子検査支援装置１０は、すべての操作を選択操作ＳＯのみによって行うことができる。ここで、臓器名ＯＮや分類名ＣＮを自由記述型にして、キーボードやタッチパネルなどにより手入力することも考えられる。しかしながら、臓器名ＯＮや分類名ＣＮを自由記述の手入力によって行う場合、誤記や表記の揺れなどにより適切な推奨検査項目ＲＤＩを抽出することができない場合がある。一方、本実施形態の分子検査支援装置１０によれば、すべての操作を選択操作ＳＯのみによって行うため、表記の揺れが生ぜず、また誤記（誤選択）も生じにくい。このため、分子検査支援装置１０は、不適切な推奨検査項目ＲＤＩが抽出される頻度を低下させることができるため、検査項目ＤＩの選択作業の手間を軽減することができる。
【００３６】
また、分子検査支援装置１０は、臓器名ＯＮに加えて、分類名ＣＮによっても推奨検査項目ＲＤＩを絞り込むことができる。これにより、分類名ＣＮによる推奨検査項目ＲＤＩの絞り込みが行われない場合に比べて、推奨検査項目ＲＤＩの数が減少する。このため、操作者Ｕによる検査発注対象の検査項目ＯＤＩの絞り込みの手間を軽減することができる。
【００３７】
また、分子検査支援装置１０は、推奨検査項目ＲＤＩが複数ある場合に、これらの推奨検査項目ＲＤＩを一覧表示する。このため、操作者Ｕによる推奨検査項目ＲＤＩの一見把握性が高くなり、検査発注対象の検査項目ＯＤＩの絞り込みの手間を軽減することができる。
【００３８】
また、分子検査支援装置１０は、操作者Ｕが選択した検査発注対象の検査項目ＯＤＩについて通信回線を通じて発注を行う発注情報生成部１５０を備えている。この分子検査支援装置１０によれば、操作者Ｕによる分子検査の発注の手間を軽減することができる。
【００３９】
また、分子検査支援装置１０は、診断結果情報生成部１６０を備えている。この診断結果情報生成部１６０は、検査結果ＩＲについて陰性か陽性かを操作者Ｕに選択させるユーザインタフェースを提供する。複数の検査項目ＤＩについて検査を実施した場合であっても、操作者Ｕは、「陰性」の操作アイコン又は「陽性」の操作アイコンを操作するだけで、診断結果情報ＤＲを生成することができる。したがって、分子検査支援装置１０によれば、診断結果を手書きしたり、自由入力形式で作成する場合に比べて、診断結果の生成の手間を軽減することができる。
【００４０】
また、分子検査支援装置１０は、判定ガイドライン提示部１７０を備えており、判定ガイドラインＧＬの表示機能を有する。この分子検査支援装置１０によれば、操作者Ｕは、診療ガイドラインの文献から必要な情報を探す手間を軽減することができる。
【００４１】
以上、本発明の実施形態を図面を参照して詳述してきたが、具体的な構成はこの実施形態に限られるものではなく、本発明の趣旨を逸脱しない範囲で適宜変更を加えることができる。上述した実施形態に記載の構成を組み合わせてもよい。
【００４２】
なお、上記の実施形態における装置及び装置が備える各部は、専用のハードウェアにより実現されるものであってもよく、また、メモリおよびマイクロプロセッサにより実現させるものであってもよい。
【００４３】
なお、装置及び装置が備える各部は、メモリおよびＣＰＵ（中央演算装置）により構成され、装置及び装置が備える各部の機能を実現するためのプログラムをメモリにロードして実行することによりその機能を実現させるものであってもよい。
【００４４】
また、装置及び装置が備える各部の機能を実現するためのプログラムをコンピュータ読み取り可能な記録媒体に記録して、この記録媒体に記録されたプログラムをコンピュータシステムに読み込ませ、実行することにより、制御部が備える各部による処理を行ってもよい。なお、ここでいう「コンピュータシステム」とは、ＯＳや周辺機器等のハードウェアを含むものとする。
【００４５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００４６】
１０…分子検査支援装置、１１０…選択肢提示部、１２０…選択操作受付部、１３０…検査項目抽出部、１４０…検査項目提示部、１５０…発注情報生成部、１６０…診断結果情報生成部、１７０…判定ガイドライン提示部
【図１】
2019148467.tif 000003
【図２】
2019148467.tif 000004
【図３】
2019148467.tif 000005
【図４】
2019148467.tif 000006